(57)【要約】【課題】本発明は、簡単な構造であって、繰り返し利用することができ、作業が容易で、インサートの設置単価を低減できるインサート取り付け具を提供することを目的とする。【解決手段】本発明のインサート取り付け具は、インサート１に螺合される取り付けボルト２と、取り付けボルト２の周囲を覆い外周に雄ネジ４ａが形成された筒状の内側保持体４と、内側保持体４の周囲に重合され内周に雌ネジ５ａが形成されて雄ネジ４ａと螺合される外側保持体５とを備え、内側保持体４の型枠３側の一端部には除去工具と係合する回り止め穴４ｄが設けられると共に、その他端部にはインサート１の側面に当接される当接面が設けられ、コンクリート打設後に除去工具によって内側保持体４が回転されると、コンクリートに固着された外側保持体５の雌ネジ５ａが雄ネジ４ａによる回転力を受けて外側保持体５に回転力を加えコンクリートから離脱させることを主要な特徴とする。【選択図】図１
2011122393.tif 000002
【特許請求の範囲】
【請求項１】
コンクリート構造物に埋め込むボルト締結用のインサートに螺合され、型枠に挿通してコンクリート打設前に前記インサートを前記型枠に取り付けるインサート取り付け具であって、
前記インサート取り付け具が、前記インサートに螺合される取り付け部材と、前記取り付け部材の周囲を覆い外周に雄ネジ部が形成された筒状の内側保持体と、前記内側保持体の周囲に重合され内周に雌ネジ部が形成されて前記雄ネジ部と螺合される外側保持体とを備え、
前記内側保持体の前記型枠側の一端部には除去工具と係合する係合部が設けられると共に、その他端部にはインサート取り付け時に前記インサートの側面に当接される当接面が設けられ、
コンクリート打設後に前記除去工具によって前記内側保持体が回転されると、前記コンクリートに固着された外側保持体の雌ネジ部が前記雄ネジ部による回転力を受けて前記外側保持体に回転力を加え前記コンクリートから離脱させることを特徴とするインサート取り付け具。
【請求項２】
前記外側保持体の外周が前記型枠側に拡大する円錐面をなしていることを特徴とする請求項１記載のインサート取り付け具。
【請求項３】
前記外側保持体の前記インサート側の端部がインサート取り付け時に前記インサートの側面に当接される当接面を備えていることを特徴とする請求項１または２に記載されたインサート取り付け具。
【請求項４】
前記外側保持体の雌ネジ部の軸方向幅が前記内側保持体の雄ネジ部の軸方向幅より幅狭に形成され、前記雄ネジ部に対する前記雌ネジ部の全体の位置が前記インサート側に寄って配置されていることを特徴とする請求項１乃至３の何れか一項に記載されたインサート取り付け具。
【請求項５】
前記外側保持体がコンクリートに対して非親和性を示すプラスチックから構成されていることを特徴とする請求項１乃至４の何れか一項に記載されたインサート取り付け具。
【発明の詳細な説明】
【技術分野】
【０００１】
本発明は、コンクリート構築物にボルト固定用のインサートを埋め込むとき、インサートの本体だけをコンクリート内に残すことができるインサート取り付け具に関するものである。
【背景技術】
【０００２】
コンクリート構築物、例えばコンクリート壁や天井にボルトや吊りボルトを固定する場合、インサートをコンクリート構造物の所定位置に埋め込み、所定のボルトを螺合して固定する。このインサートは、コンクリートの打設前に予め型枠から所定位置に支持して置き、この状態でコンクリートを打設してコンクリート内に埋設する。インサートとしては、従来からセラミックのインサートが多く使われ、ネジ部を設けて、ボルトはこのネジ部に螺合することで使用される。
【０００３】
この従来のインサートの設置手順について説明する。設置には通常２人の作業員が必要になる。まず、２人の作業員のうち１人が型枠のコンクリートの打設側に来て、インサートを保持し、型枠に予め開けてあるインサート支持孔の位置に合せる。これに対して、型枠の外側にいるもう１人の作業員がインサート取り付け具のボルトをインサート支持孔に挿入し、インサートのネジ部と螺合して、インサートを型枠に固定する。インサートが型枠の内側に片持ち支持されたら、コンクリートが流し込まれ、コンクリートの硬化後に、ボルトを外し、型枠を除去する。その後コンクリート内に残されたインサートには上述のボルトが螺合して使用される。
【０００４】
ところで、上記型枠にコンクリートを打設するときに、インサート取り付け具に対して直接コンクリートを流し込むと、ボルトがコンクリート中に固定された状態で埋設され、コンクリートが固まった後にボルトの取り外しができなくなる。そこで、通常、ボルトには筒状の保持具が装着され、上記作業にこれを装着する作業が加わる。保持具はセラミック製であり、ボルトの先端がインサートと螺合され、型枠とインサートに挟まれて固定される。コンクリートが硬化したときは、ボルトのみ内部から外され、保持具はコンクリートに固定される。従って、保持具はインサートと共にコンクリート内に残留し、コンクリート中に埋め込まれたままとなる。この方法では保持具を使いまわしすることはできない。
【０００５】
このため、一端がインサートの雌ねじ部と螺合し他端側に除去工具との係合部が形成された保持具と、一端に保持具の他端と螺合する螺合部、他端に型枠と係合する係合部を有し、その間に破断部を備えると共に除去工具との係合部を備えた継手を有するインサート器具が提案された（特許文献１参照）。
【０００６】
特許文献１のインサート器具は、コンクリートの打設後に型枠を引っ張ることにより、継手の破断部が破断して型枠を引き剥がすことができる。また、破断が継手で行われるので、保持具は再利用できる。
【０００７】
しかし、特許文献１のインサート器具は、保持具が再利用できても、これに代わって継手が廃棄される。これでは半分が再利用できただけで、全体的には再利用になっていない。
【０００８】
そこで、本出願人は、ボルトの周囲に筒状の保持体を通してインサートと螺合し、ナットでボルトを型枠に固定するインサート取り付け具を提案した（特許文献２参照）。この提案では、ボルトの型枠側の端部に、取り外し工具と係合する係合部とを設け、保持体の材料としてコンクリートと親和性のない材料を使用する。これにより、簡単な構成で、作業は１人で可能になり、保持具を再利用できることが可能になる。
【先行技術文献】
【特許文献】
【０００９】
【特許文献１】特開２００２−１９４８１９号公報
【特許文献２】特開２００９−１３８４７３号公報
【発明の概要】
【発明が解決しようとする課題】
【００１０】
従来技術では保持具が無いとコンクリート硬化後に埋設用のボルトを引き抜くことができない。そこで、好ましくはないが、従来は保持具をセラミックとしてこれをインサートと共にコンクリート中に残留させて使用されている。従って保持具を何度も使い回しすることはできない。
【００１１】
この点、特許文献１のインサート器具は保持具を再利用することができる。しかし保持具の代わりに継手が廃棄される。これは部材が変わっただけで完全な意味での再利用ではない。構造も複雑になる。
【００１２】
これに対して、特許文献２のインサート取り付け具は保持具の使い回しを可能にするものである。しかし、新たな課題も出現した。すなわち、材料を選んでも、コンクリートが硬化すると保持体の表面がコンクリートとの界面で物理的・化学的に親和し、取り外しがなかなか難くなるのである。そして、使い回しすればするほど、表面に傷や付着物が形成され、この部分が核となってコンクリートと馴染み、コンクリートから脱離し難くなる。
【００１３】
セラミック以外の異物はコンクリート中へ残せないし、セラミック製保持体はコンクリート中へ残すことができるが、使い回しができない。従ってコストが高くなる。また、継ぎ手などにして廃棄するのも高コストになる。簡単な構成で、現場で容易に取り外せ、繰り返し使用できる安価なインサート取り付け具が望まれる。
【００１４】
そこで本発明は、簡単な構造であって、繰り返し利用することができ、作業が容易で、インサートの設置単価を低減できるインサート取り付け具を提供することを目的とする。
【課題を解決するための手段】
【００１５】
本発明のインサート取り付け具は、コンクリート構造物に埋め込むボルト締結用のインサートに螺合され、型枠に挿通してコンクリート打設前にインサートを型枠に取り付けるインサート取り付け具であって、インサート取り付け具が、インサートに螺合される取り付け部材と、取り付け部材の周囲を覆い外周に雄ネジ部が形成された筒状の内側保持体と、内側保持体の周囲に重合され内周に雌ネジ部が形成されて雄ネジ部と螺合される外側保持体とを備え、内側保持体の型枠側の一端部には除去工具と係合する係合部が設けられると共に、その他端部にはインサート取り付け時にインサートの側面に当接される当接面が設けられ、コンクリート打設後に除去工具によって内側保持体が回転されると、コンクリートに固着された外側保持体の雌ネジ部が雄ネジ部による回転力を受けて外側保持体に回転力を加えコンクリートから離脱させることを主要な特徴とする。
【発明の効果】
【００１６】
本発明のインサート取り付け具によれば、簡単な構造であって、繰り返し利用することができ、作業が容易で、インサートの設置単価を低減できる。
【図面の簡単な説明】
【００１７】
【図１】本発明の実施例１におけるインサート取り付け具を埋設するときの一部破砕断面図
【図２】（ａ）本発明の実施例１におけるインサート取り付け具の内側保持体の軸方向正面図、（ｂ）（ａ）の内側保持体の型枠側の一部軸方向断面図
【図３】本発明の実施例１におけるインサート取り付け具の外側保持体の軸方向断面図
【図４】本発明の実施例１におけるインサート取り付け具の内側保持体の一部破砕軸方向断面図
【図５】本発明の実施例１におけるインサートから保持体を回収するときの外側保持体と内側保持体の配置関係を示す図
【図６】本発明の実施例１におけるインサートから保持体を回収する工程の説明図
【発明を実施するための形態】
【００１８】
本発明を実施する最良の形態の第１の形態は、コンクリート構造物に埋め込むボルト締結用のインサートに螺合され、型枠に挿通してコンクリート打設前にインサートを型枠に取り付けるインサート取り付け具であって、インサート取り付け具が、インサートに螺合される取り付け部材と、取り付け部材の周囲を覆い外周に雄ネジ部が形成された筒状の内側保持体と、内側保持体の周囲に重合され内周に雌ネジ部が形成されて雄ネジ部と螺合される外側保持体とを備え、内側保持体の型枠側の一端部には除去工具と係合する係合部が設けられると共に、その他端部にはインサート取り付け時にインサートの側面に当接される当接面が設けられ、コンクリート打設後に除去工具によって内側保持体が回転されると、コンクリートに固着された外側保持体の雌ネジ部が雄ネジ部による回転力を受けて外側保持体に回転力を加えコンクリートから離脱させることを特徴とするインサート取り付け具である。
【００１９】
この構成によって、簡単な構造であって、繰り返し利用することができ、作業が容易で、インサートの設置単価を低減できる。
【００２０】
本発明の第２の形態は、第１の形態に従属する形態であって、外側保持体の外周が型枠側に拡大する円錐面をなしていることを特徴とするインサート取り付け具であり、簡単な構造で、外側保持体の外周をコンクリートから容易に引き離すことができる。
【００２１】
本発明の第３の形態は、第１または２の形態に従属する形態であって、外側保持体のインサート側の端部がインサート取り付け時にインサートの側面に当接される当接面を備えていることを特徴とするインサート取り付け具であり、外側保持体とインサート、さらに内側保持体の周囲にコンクリートが進入することがない。
【００２２】
本発明の第４の形態は、第１乃至第３の形態の何れかの形態に従属する形態であって、外側保持体の雌ネジ部の軸方向幅が内側保持体の雄ネジ部の軸方向幅より幅広に形成され、雌ネジ部に対する雄ネジ部の位置が型枠側に寄って配置されていることを特徴とするインサート取り付け具であり、外側保持体を内側保持体に対して移動させ、外側保持体の外周をコンクリートから容易に引き離すことができる。
【００２３】
本発明の第５の形態は、第１乃至第４の形態の何れかの形態に従属する形態であって、外側保持体がコンクリートに対して非親和性を示すプラスチックから構成されていることを特徴とするインサート取り付け具であり、安価で繰り返し利用することができ、インサートの設置単価を低減できる。
【実施例１】
【００２４】
以下、本発明の実施例１におけるインサート取り付け具について説明する。図１は本発明の実施例１におけるインサート取り付け具を埋設するときの一部破砕断面図であり、図２（ａ）はインサート取り付け具の内側保持体の軸方向正面図、図２（ｂ）は（ａ）の内側保持体の型枠側の一部軸方向断面図である。図３は外側保持体の軸方向断面、図４は内側保持体の一部破砕軸方向断面を示す。
【００２５】
図１〜４において、１は、例えばコンクリート壁や天井などのコンクリート構築物にボルトを固定して被取り付け物を固定するためのアンカー部となるインサートである。１ａはインサート１内に形成されたボルト固定用の雌ネジ、２はインサート１の雌ネジ１ａに螺合されこれを型枠３に取り付けるための鋼材またはステンレス材からなる取り付けボルト（本発明における取り付け部材）である。なお、この取り付けボルト２は、コンクリートの硬化後に被取り付け物を固定するためのボルトとは別のボルトであり、コンクリートの打設時に使用されるインサート取り付け具の部品である。従って雌ネジ１ａには、硬化後に被取り付け物を固定するためのボルトと、作業用の取り付けボルト２の、２種類のボルトが螺合されることになる。
【００２６】
インサート１は長期に亘ってコンクリート内に埋め込まれて使用されるため、セラミック製にするのが耐久性、強度の面で好適である。ただ、硬質プラスチックなどの材料や金属にすることもできる。取り付けボルト２を使うときには、一端をインサート１に螺合し、後述する２部材からなる保持体を挟んで型枠を挟持することで取り付けを行う。取り付けボルト２とインサート１との螺合を解除するときには、スパナ等で取り付けボルト２の頭部を逆向きに回転し解除する。
【００２７】
取り付けボルト２は市販されている六角ボルトなどを使用するのがよい。六角ボルトであれば手軽に入手でき安価になる。ただ、取り付けボルト２にはインサート１に螺合するための雌ネジ１ａと同一ピッチの雄ネジ２ａが形成されている必要がある。
【００２８】
次に、３はコンクリートを打設するための型枠である。また型枠３には取り付けボルト２を取り付けるため固定孔３ａが開口される。固定孔３ａは取り付けボルト２より僅かに大きな大きさに開口される。この固定孔３ａに取り付けボルト２の一端を挿入しておき、型枠３の反対側に回り、保持体を挟んでその先端にインサート１の雌ネジ１ａと螺合し、インサート１を支持する。なお、実施例１においてはこの作業は１人の作業員で十分に行える。
【００２９】
さて、図１〜４において、４は、インサート１のかぶり（コンクリート構築物においてインサート１表面を覆うコンクリート厚さ）を確保するために配置される一様断面の円筒状の部材であり、コンクリートが付着し難いポリアセタール（ＰＯＭ）、ポリプロピレン（ＰＰ）、ポリエチレン（ＰＥ）等、またコンクリートに対して非親和性を示すフッ素樹脂等のプラスチック（コンクリート硬化時にコンクリートがほとんど付着しないプラスチック）などから一体成形される、コンクリートから剥がれ易く、強度と弱い弾力を備えた円筒状の内側保持体である。コンクリート打設後に取り出し、再使用することができる。
【００３０】
５はこの内側保持体４の周囲に入子状に被されて螺合される外側保持体である。内側保持体４の外周に形成された雄ネジ４ａ（本発明の雄ネジ部）と外側保持体５の内周に形成された雌ネジ５ａ（本発明の雌ネジ部）とが螺合され、両者が軸方向で２重に重なり合うように組み立てられる。外側保持体５もコンクリートが付着し難いポリアセタール（ＰＯＭ）、ポリプロピレン（ＰＰ）、ポリエチレン（ＰＥ）等、またコンクリートに対して非親和性を示すフッ素樹脂等のプラスチックなどの、コンクリートから剥がれ易く、かつ強度と弱い弾力を備えたプラスチック材料を使って一体成形するのが好適である。
【００３１】
内側保持体４の肉厚は、型枠３側の円筒部４ｂの部分よりもインサート１側の円筒部４ｃの方が薄肉に形成され、円筒部４ｃの先端がインロウ加工されインサート１の穴と嵌合され、かつその先端の端面が係止面１ｂに当接される。同様に外側保持体５の端部も先端の端面がインサート１の側面に当接される。ここで内側保持体４と外側保持体５の長さはそれぞれ両端の端面が型枠３とインサート１と当接するように調節した長さに設計され、上述したかぶりの長さに調節される。従って、内側保持体４と外側保持体５を重ね合わせ、これを型枠３とインサート１によって挟んで取り付けボルト２で挟持すると、インサート１を型枠３から所定位置に配置する（かぶりの高さを確保する）ことができる。
【００３２】
６は耐久性のある硬質ゴムやプラスチックからなるパッキンであり、型枠３とインサート１の間に挿入される。パッキン６は中央に差込孔を備え、コンクリート打設時に固定孔３ａからコンクリートが漏れるのを防止する。パッキン６の材料としては、ポリエチレン（ＰＥ）、ポリプロピレン（ＰＰ）、フッ素樹脂等のプラスチックやゴムが好適である。パッキン６もコンクリート打設後に回収され、繰り返し使用することができる。また、図１において、７は取り付けボルト２を型枠３に装着するとき配置される座金である。座金７は金属のほかに硬質ゴムやプラスチックで構成されてよい。また、座金７は型枠３を傷つけない点やシールの面では役に立つが、場合により必ずしも配置する必要はない。
【００３３】
図２（ａ）（ｂ）、図４に示すように、内側保持体４の型枠３側の端部には外径より少し小径の回り止め穴４ｄが形成されている。六角レンチ等の除去工具の頭部を回り止め穴４ｄに挿入して回転する。このとき最小肉厚の部分にねじりの過度の力が集中して破断しないように内側保持体４に強度を持たせる必要がある。肉厚が最も薄い箇所は図２（ａ）（ｂ）のように六角形など多角形の頂点の位置の肉厚であるから、この箇所が内側保持体４の材料の強度からみてねじりに対し十分な強度を備えるように、厚さが必要以上薄くならない直径にする。これより薄くなると取り外しの際にそのトルクで破断し、回り止め穴４ｄとして機能しなくなる。
【００３４】
これに対して、外側保持体５は図３のように外周面５ｃが円錐で中央に円筒孔５ｂが形成された形状をしている。円筒孔５ｂのインサート１側の部分に雌ネジ５ａが形成される。円錐の頂角は微小でほとんど円筒と言ってよいが、全体としてみると貫通孔付きの栽頭円錐状の形状を有している。そして図３に示すように雌ネジ５ａの軸方向幅Ａは内側保持体４の雄ネジ４ａの軸方向幅Ｂよりも狭く形成される。
【００３５】
雄ネジ４ａは図１のように雌ネジ５ａとインサート１側の端部を揃えてインサート１に取り付けられるので、Ｂ＞Ａであることにより、雄ネジ４ａの型枠３側の端部の方が雌ネジ５ａの型枠３側の端部より型枠３に近づくまで（Ｂ−Ａ）の螺合部だけ延長される状態となる。このため雄ネジ４ａが雌ネジ５ａに対して回転すると、螺合部の移動が許容される（Ｂ−Ａ）の範囲で外側保持体５が移動（前進後退）可能になり、内側保持体４と外側保持体５はこの範囲で螺合位置を変え全体形状としてはテレスコピックに伸縮できる形態となる。
【００３６】
しかし、外側保持体５が空中などのように連れ回り可能な状態ではこのような移動を行う力は作用しない。これに対し、本発明のように外側保持体５がコンクリートに固着され、いわば制動を受ける状態では、内側保持体４が軸方向においてその位置を保ちながら雄ネジ４ａに回転力が加えられると、外側保持体５には回転力と軸方向に逆推力Ｒ（図６参照）が作用する。すなわち、ネジ力の作用で外側保持体５には内側保持体４の周囲でこれを回転させ、かつ型枠３側に移動させようとする力が作用する。さらに、実施例１では外側保持体５は外周面５ｃが軸方向と傾斜角θで傾斜しており（図３参照）、型枠３側に拡大する円錐面をなしているため、内側保持体４をインサート１に締め付けたとき、コンクリート表面に対して垂直方向の分力Ｎ（図６参照）が引っ張り力として作用する。この力はコンクリートから外周面５ｃを垂直方向に引き離す。
【００３７】
ここで、実施例１の取り付けボルト２、内側保持体４と外側保持体５の諸元について説明する。図１において、内側保持体４に形成された雄ネジ４ａの軸方向幅Ｂは外側保持体５の雌ネジ５ａの軸方向幅Ａの２倍、すなわちＡ＝１／２×Ｂ程度に形成される。軸方向幅ＡをＢより狭くすることにより外側保持体５は内側保持体４の周りをスライドさせることができる。内側保持体４の、薄肉の円筒部４ｂの軸方向幅をＣとすると、Ｃの軸方向幅の部分がインロウ部分となってインサート１と嵌合する。
【００３８】
取り付けボルト２を一例として直径１６ｍｍとすると、外側保持体５のインサート１側先端の外周直径＝３６ｍｍ、外側保持体５の軸方向長さ＝５０ｍｍ、内側保持体４の軸方向長さ＝６０ｍｍ、Ａ＝１０ｍｍ、Ｂ＝２０ｍｍ、Ｃ＝５ｍｍ、内側保持体４の円筒部４ｂの肉厚＝４ｍｍ（従って円筒部４ｂの外周の直径２４ｍｍ）、円筒部４ｃの肉厚＝２ｍｍ（従って円筒部４ｃの外周の直径２０ｍｍ）とするのが好適である。そして、外側保持体５の傾斜角θはθ＝２°程度にするのがよい。θ＝１°より小さいと外周面５ｃをコンクリートから引き離す作用が小さくなる上に、取り外し時における回り止め穴４ｄの補強にあまり役立たなくなる。θ＝５°以上では外周面５ｃに沿った界面に作用するせん断作用が小さくなるので、できればθ＝１°〜３°、好ましくはθ＝２°とするのが保持体の離脱に効果的である。なお、インロウ部分の軸方向幅はおおむね５ｍｍ以上あればよい。また、実施例１のパッキン６の軸方向の厚みは５ｍｍである。
【００３９】
ところで、本発明のインサート取り付け具の特徴は、内側保持体４と外側保持体５、更にはパッキン６を、コンクリートから取り外し可能な構成を有していることにある。すなわち、保持体を、所定構造の内側保持体４、外側保持体５の２つの部材に分けて構成し、外側保持体５を内側保持体４に対して前進後退可能にすることによって、コンクリート硬化時に保持体を簡単な操作でコンクリートから脱離させることに成功したものである。
【００４０】
そこで以下図１、図５、図６に基づいて、インサートを設置し、内側保持体４と外側保持体５が組み合わされた保持体を回収する作業の手順を説明する。図５は本発明の実施例１におけるインサートから保持体を回収するときの外側保持体と内側保持体の配置関係を示す図であり、図６はインサートから保持体を回収する工程の説明図である。
【００４１】
まず、取り付けの手順について説明する。予め内側保持体４と外側保持体５からなる保持体を組み立てておく。すなわち内側保持体４を外側保持体５に挿入し、２つの部材の型枠３側となる端部の位置を揃えるように螺合して重ね合わせ、保持体として両者一体にする。
【００４２】
次いで座金７を介して取り付けボルト２を型枠３の固定孔３ａに挿入し、取り付けボルト２の雄ネジ部２ａ側が型枠３から突き出した状態にする。この型枠３から突き出た取り付けボルト２に、パッキン６を挿し、図１のように内側保持体４と外側保持体５が一体になった保持体を挿入して押し込む。この内側保持体４の先端の雄ネジ部２ｃにインサート１の雌ネジ部１を螺合する。外側保持体５の長さがコンクリートのかぶりの厚さになる。
【００４３】
なお、予め一体にした保持体を挿入するのではなく、個々の組み立てとし、取り付けボルト２に内側保持体４を挿入し、その後外側保持体５をこれに螺合して組み立てても同様の結果を得る。しかし予め一体としておく方が作業を楽にする。
【００４４】
このように、取り付けボルト２及び内側保持体４、外側保持体５でインサート１を型枠３に支持した状態でコンクリートを流し込み、これが硬化した後にスパナを使って取り付けボルト２を外す。
【００４５】
次いで、図６のように六角レンチ等の除去工具を回り止め穴４ｄに係合し、内側保持体４を締め付ける方向に回転する。これによって内側保持体４をインサート１に押し付けながらその位置において回転させることができる。ネジの作用は十分大きな押し付け力Ｆを生む。内側保持体４はこの位置にとどまって回転する。これに対し、外側保持体５には内側保持体４のネジ力で逆推力Ｒが作用する。というのは、外側保持体５はコンクリートに固着されているため連れ回りできず、ネジ力で逆方向に回転して反対方向へ進もうとする（型枠３側に向かって後退しようとする）。この逆推力Ｒの分力を考えると、外周面５ｃと垂直方向の分力Ｎはこの外周面５ｃをコンクリートから引き離す力として働き、内側保持体４、外側保持体５は一体となってコンクリートから剥離・分離する。また表面に沿った分力Ｈもコンクリートと外側保持体５の界面に対するせん断力として作用する。コンクリート界面は圧縮より引っ張りに対して脆く、離脱は比較的容易に起きる。これにより２部品からなる保持体をコンクリートとインサート１から容易に分離することができる。なお、以上のボルト除去、保持体除去作業は１人で十分行える作業である。
【００４６】
図５は、内側保持体４の雄ネジ４ａが回転し、外側保持体５が内側保持体４の軸方向で型枠３側へ軸方向幅Δだけ押し出され、距離δだけコンクリート表面から離れた状態を示している。コンクリートの穴の中で固着の程度が緩んだ一体となった保持体は簡単に取り除ける。これらの除去後には空洞（空間）が残り、内部にインサート１だけが残留する。
【００４７】
この後、充填物が空洞に詰め込まれる。被取り付け物を固定するボルトを固定してから充填物を詰め込んでもよい。この充填物の材質はモルタルやプラスチックなど、どのような材質のものでもよい。
【００４８】
以上実施例１で説明したように本発明は、取り付けボルト２を保持する保持体を、所定構造を有する内側保持体４、外側保持体５の２つの部材に分けて構成し、外側保持体５を内側保持体４に対して前進後退可能な構成にすることによって、コンクリート硬化時に、内側保持体４、外側保持体５からなる保持体を簡単な操作で、簡単にコンクリートの中から脱離させることができる。簡単な構造であるため安価であり、使用後に取り出すので繰り返し利用することができる。そしてこれによってインサートの設置単価を低減できる。
【産業上の利用可能性】
【００４９】
本発明は、インサートを型枠に取り付けるインサート取り付け具に適用できる。
【符号の説明】
【００５０】
１  インサート
１ａ    雌ネジ
２    取り付けボルト
２ａ    雄ネジ
３    型枠
３ａ    固定孔
４    内側保持体
４ａ    雄ネジ
４ｂ    円筒部
４ｃ    円筒部
４ｄ    回り止め穴
５    外側保持体
５ａ    雌ネジ
５ｂ    円筒孔
５ｃ    外周面
６    パッキン
７    座金
θ    傾斜角
Ａ，Ｂ，Ｃ，Δ    軸方向幅
δ    距離
Ｆ    押し付け力
Ｒ    逆推力
Ｎ，Ｈ    分力
【図１】
2011122393.tif 000003
【図２】
2011122393.tif 000004
【図３】
2011122393.tif 000005
【図４】
2011122393.tif 000006
【図５】
2011122393.tif 000007
【図６】
2011122393.tif 000008